(57)【要約】【課題】データ購入側にデータの一部を開示して、ネットワーク取引を容易にするネットワーク取引システムを提供する。【解決手段】ネットワークを介して、技術に関するデータの売却を希望する売却要求、および、そのデータを送信する売手端末と、ネットワークを介して、データの買い取りを希望する買取要求を送信する買手端末と、売手端末から受信したデータを保持する記憶部およびデータを処理する処理部を有し、処理部が、売手端末から受信した売却要求と、買手端末から受信した買取要求とに基づいて、記憶部に記憶したデータを買手端末に送信する仲介端末とを備えたデータ売買システムを提供する。売手端末は、技術の内容を記述した諸元を表す諸元コードを、データとともに送信する。仲介端末の記憶部は、売手端末から送信された諸元コードをさらに記憶し、買手端末からの要求に応じて、諸元の内容を買手端末に送信する。【選択図】　　　　図６
2004054422.tif 000002
【特許請求の範囲】
【請求項１】
ネットワークを介して、技術に関するデータの売却を希望する売却要求、および、当該データを送信する売手端末と、
該ネットワークを介して、前記データの買い取りを希望する買取要求を送信する買手端末と、
売手端末から受信した前記データを保持する記憶部と、データを処理する処理部とを有し、処理部が、売手端末から受信した前記売却要求と、買手端末から受信した前記買取要求とに基づいて、記憶部に記憶した前記データを買手端末に送信する仲介端末と
を備えたデータ売買システムにおいて、
売手端末は、前記技術の内容を記述した諸元を表す諸元コードを入力する入力部をさらに備え、入力部から入力された該諸元コードを、前記データとともに送信し、
仲介端末の記憶部は、売手端末から送信された前記諸元コードをさらに記憶し、買手端末からの要求に応じて、前記諸元の内容を買手端末に送信する、データ売買システム。
【請求項２】
前記技術に関するデータは、電気接続図のデータであり、該電気接続図は、電気回路の配線の接続関係等を記述した図面と、当該電気回路を構成する部品のリストを含み、
前記諸元コードは、前記電気接続図が示す電気回路の市場分野、電気システムにおいて接続される位置を表す区分、技術分野、特性、電気的機能、電気的特性、付加価値機能の少なくとも１つの諸元を含む、請求項１に記載のデータ売買システム。
【請求項３】
仲介サーバの記憶部は、諸元コードを設定する諸元コード設定プログラムをさらに記憶し、売手端末は、ネットワークを介して、前記諸元コード設定プログラムを前記仲介サーバから受信し、前記諸元コード設定プログラムの処理手順に基づいて、入力部を介して、前記諸元コードを入力し、設定する、請求項２に記載のデータ売買システム。
【請求項４】
仲介サーバの記憶部は、前記諸元コードから、前記諸元を復元する諸元再生プログラムをさらに記憶しており、仲介サーバの処理部は、該諸元再生プログラムに基づいて、売手端末から受信した前記諸元コードから各諸元の内容を復元して、前記諸元の内容を買手端末に送信する、請求項３に記載のデータ売買システム。
【請求項５】
買手端末は、仲介サーバ上で運営されているウェブサイトのページを受信して表示する表示部をさらに有し、前記諸元の内容は、該ウェブサイトのページ上に含まれる、請求項４に記載のデータ売買システム。
【請求項６】
仲介サーバの記憶部は、各諸元に評価点を与え、前記電気接続図のデータの価値を評価する評価プログラムをさらに記憶しており、処理部は、該評価プログラムに基づいて、売手端末から受信した前記諸元コードについて、設定された各諸元に応じた評価点を算出する、請求項３に記載のデータ売買システム。
【請求項７】
前記評価プログラムは、少なくとも１つの諸元に重み付けパラメータを用い、各諸元に評価点を与える、請求項６に記載のデータ売買システム。
【請求項８】
仲介サーバの処理部は、各諸元に応じた評価点の合計点を算出して、前記電気接続図を評価する、請求項６に記載のデータ売買システム。
【請求項９】
仲介サーバの処理部は、前記合計点に応じて、前記電気接続図の価格を決定する、請求項８に記載のデータ売買システム。
【請求項１０】
仲介サーバは、売手端末から受信した前記電気接続図の主要な個所へのマスクを設定する入力部をさらに備え、入力部によりマスクが設定された前記電気接続図は、サンプルデータとして仲介サーバ４の記憶部にさらに記憶される、請求項２に記載のデータ売買システム。
【請求項１１】
買手端末は、ネットワークを介して、サンプルデータの送信を希望するサンプルデータ要求を送信し、
仲介サーバは、買手端末からのサンプルデータ要求に応答して、仲介サーバの記憶部に記憶した前記サンプルデータを、買手端末にさらに送信する、請求項１０に記載のデータ売買システム。
【発明の詳細な説明】
【０００１】
【発明の属する技術分野】
本発明は、コンピュータネットワークを用いて情報を売買する技術に関する。
【０００２】
【従来の技術】
近年、インターネットに代表されるコンピュータネットワークを介した商品取引（ネットワーク取引）が盛んに行われている。ネットワーク取引は、注文のみをネットワーク経由で行い、商品を郵送等する形態や、商品が電子データである場合（例えば、商品がソフトウェアである場合）には、注文および商品の受け渡しをネットワーク経由で行う形態で実現されている。したがって、ネットワーク取引の対象となる商品は、物理的な「物」に限られず、電子データで表現された種々の「情報」も含まれる。
【０００３】
【発明が解決しようとする課題】
これまでのネットワーク取引では、電気回路の部品、および、それらの接続関係を記述した電気接続図は、取引の対象とされていなかった。その理由は、このような電気接続図は、各製造企業の技術のノウハウが凝縮された秘密情報だからである。
【０００４】
しかし、換言すれば、電気接続図は非常に高い価値を有しており、よって秘密が必要以上に漏洩しなければ、取引の対象たる商品として非常に有望である。例えば、買手側が新たに回路開発分野に参入する者であれば、企業の中で開発中断・停止、生産停止・終了などで眠っていた電気接続図、ベンチャー企業において、秀でたアイデアにより理論上実現されたが、開発リソースの不足により量産できなかった電気接続図、退職した個人により作成された専門分野の電気接続図の情報を利用できれば、開発費・投資額を削減できることとなる。また、売手側の一般企業にあっては、社内ベンチャーを推進でき、ベンチャー企業および個人にあっては、製造できなくともその電気接続図のみを商品化できる。すなわち、非常に付加価値の高い情報をグローバルなインターネットの特性を生かし、情報を授受することで、情報の提供側、情報の受信側ともに新たなビジネスを創出できるともに、受信側も、さらに別の新たなビジネス展開、事業活動が可能となる。
【０００５】
本発明の目的は、データ購入側にデータの一部を開示して、ネットワーク取引を容易にすることである。
【０００６】
【課題を解決するための手段】
本発明のデータ売買システムは、ネットワークを介して、技術に関するデータの売却を希望する売却要求、および、当該データを送信する売手端末と、該ネットワークを介して、前記データの買い取りを希望する買取要求を送信する買手端末と、売手端末から受信した前記データを保持する記憶部と、データを処理する処理部とを有し、処理部は、売手端末から受信した前記売却要求と、買手端末から受信した前記買取要求とに基づいて、記憶部に記憶した前記データを買手端末に送信する仲介端末とを備えたデータ売買システムであって、売手端末は、前記技術の内容を記述した諸元を表す諸元コードを入力する入力部をさらに備え、入力部から入力された該諸元コードを、前記データとともに送信し、仲介端末の記憶部は、売手端末から送信された前記諸元コードをさらに記憶し、買手端末からの要求に応じて、前記諸元の内容を買手端末に送信する。これにより上記目的を達成できる。
【０００７】
前記技術に関するデータは、電気接続図のデータであり、該電気接続図は、電気回路の配線の接続関係等を記述した図面と、当該電気回路を構成する部品のリストを含み、前記諸元コードは、前記電気接続図が示す電気回路の市場分野、電気システムにおいて接続される位置を表す区分、技術分野、特性、電気的機能、電気的特性、付加価値機能の少なくとも１つの諸元を含んでもよい。
【０００８】
仲介サーバの記憶部は、諸元コードを設定する諸元コード設定プログラムをさらに記憶し、売手端末は、ネットワークを介して、前記諸元コード設定プログラムを前記仲介サーバから受信し、前記諸元コード設定プログラムの処理手順に基づいて、入力部を介して、前記諸元コードを入力し、設定してもよい。
【０００９】
仲介サーバの記憶部は、前記諸元コードから、前記諸元を復元する諸元再生プログラムをさらに記憶しており、仲介サーバの処理部は、該諸元再生プログラムに基づいて、売手端末から受信した前記諸元コードから各諸元の内容を復元して、前記諸元の内容を買手端末に送信してもよい。
【００１０】
買手端末は、仲介サーバ上で運営されているウェブサイトのページを受信して表示する表示部をさらに有し、前記諸元の内容は、該ウェブサイトのページ上に含まれていてもよい。
【００１１】
仲介サーバの記憶部は、各諸元に評価点を与え、前記電気接続図のデータの価値を評価する評価プログラムをさらに記憶しており、処理部は、該評価プログラムに基づいて、売手端末から受信した前記諸元コードについて、設定された各諸元に応じた評価点を算出してもよい。
【００１２】
前記評価プログラムは、少なくとも１つの諸元に重み付けパラメータを用い、各諸元に評価点を与えてもよい。
【００１３】
仲介サーバの処理部は、各諸元に応じた評価点の合計点を算出して、前記電気接続図を評価してもよい。
【００１４】
仲介サーバの処理部は、前記合計点に応じて、前記電気接続図の価格を決定してもよい。
【００１５】
仲介サーバは、売手端末から受信した前記電気接続図の主要な個所へのマスクを設定する入力部をさらに備え、入力部によりマスクが設定された前記電気接続図は、サンプルデータとして仲介サーバ４の記憶部にさらに記憶してもよい。
【００１６】
買手端末は、ネットワークを介して、サンプルデータの送信を希望するサンプルデータ要求を送信し、仲介サーバは、買手端末からのサンプルデータ要求に応答して、仲介サーバの記憶部に記憶した前記サンプルデータを、買手端末にさらに送信してもよい。
【００１７】
【発明の実施の形態】
以下、図面を参照して、本発明の実施の形態を説明する。
【００１８】
本明細書では、インターネットに代表されるコンピュータネットワークを介した商品取引（以下、「ネットワーク取引」と称する）に関連する発明を説明する。ネットワーク取引の対象は、電子データで表わされた情報であり、より具体的には、電気回路の配線の接続関係等を記述した図面と、当該電気回路を構成する部品のリストからなる電気接続図のデータである。「配線の接続関係等」とは、ＪＩＳＣ０３０１、ＪＩＳＣ０３０３、ＪＩＳＣ０４０１又はこれにとらわれない規格（例えばＭＩＬ規格による図記号）等に規定される電気、図記号で作成された電気回路、電力機器／施設や通信機器／施設や一般屋内配線及びそれらの接続関係、制御系統を示す図面をいう。なお、電気接続図を、電気回路の配線の接続関係等を記述した図面のみにしてもよい。
【００１９】
図１は、本発明のネットワーク取引システム１０を示す概略図である。ネットワーク取引システム１０は、売手端末１と、買手端末２と、ネットワーク３と、仲介サーバ４により構成される。ネットワーク取引システム１０では、仲介サーバ４は、売手端末１から売却要求のあった電気接続図データを保持しておき、買手端末２からの買取要求に応じて、希望する電気接続図データを販売する。売却要求、買取要求、および、電気接続図データの送受信は、ネットワーク３を通じて行われる。ネットワーク３は、インターネット等のコンピュータネットワーク（公衆回線）である。
【００２０】
なお図１には、売手端末１、および、買手端末２はそれぞれ１つしか示されていないが、いずれも複数存在してもよい。また、仲介サーバ４も１つしか示されていない。これは電気接続図データの保持管理の便宜のためである。しかし、この保持管理を問題なく行うことができるのであれば、仲介サーバ４も複数存在してもよい。
【００２１】
仲介サーバ４は、売手端末１および買手端末２の各々とデータ通信して、主要なネットワーク取引システム１０の機能を実現する。本明細書では、仲介サーバ４上ではウェブサイトが運営されており、売手端末１および買手端末２は、そのウェブサイトにアクセスして所定の要求を入力することとする。仲介サーバ４は、売手端末１および買手端末２からデータを受信し、そのデータに基づく処理の結果をそれらに送信する。
【００２２】
具体的には、仲介サーバ４は、以下のような機能を備えている。すなわち、（１）電気接続図の諸元表示、価格表示、および、売買の対象となる電気接続図のサンプルの表示、（２）電気接続図の保持（データバンク）、（３）電気接続図の諸元コード付与およびその諸元の再生、（４）電気接続図の価格の決定、（５）電気接続図の受信・配信、（６）電子決済である。
【００２３】
売手端末１は、電気接続図を売却する者、例えば、回路の製造企業、公的機関、個人の端末である。売手端末１は、売却を希望する電気接続図に、その電気接続図の諸元を付加して、仲介サーバ４に送信する。電気接続図の「諸元」とは、電気接続図により表される電気回路の電気的機能、電気的特性、付加価値機能等の要素を列挙した情報である。諸元の付加は、売手端末１の操作者が、仲介サーバ４から与えられた、後述の諸元コード設定プログラムを実行することにより行う。
【００２４】
買手端末２は、電気接続図を購入する者、例えば、ベンチャー企業等の企業、公的機関等の端末である。買手端末２は、仲介サーバ４に保持された電気接続図に関する情報を参照して、購入するか否かを決定する。電気接続図に関する情報とは、電気接続図のタイトル、諸元等である。また、一部が隠蔽された電気接続図であってもよい。買い手が、電気接続図の購入を決定した場合には、決済し、その電気接続図のデータを取得する。
【００２５】
売手端末１、買手端末２、および仲介サーバ４は、ネットワークを介して通信可能なコンピュータとして実現される。そのようなコンピュータの例を図２に示す。図２は、コンピュータ２０の外観を示す図である。コンピュータ２０は、データを入力するキーボード２１−１とマウス２１−２、データの保持、加工・演算等の主要な情報処理を行う本体部２２、および、演算・保持等されたデータを表示するディスプレイ２３を含む。次に、売手端末１、買手端末２および仲介サーバ４の具体的な構成を説明する。
【００２６】
図３は、売手端末１の構成を示すブロック図である。売手端末１は、中央処理部（ＣＰＵ）３１と、入力部３２と、メモリ３３と、出力部３４と、通信部３５と、ハードディスクドライブ（ＨＤＤ）３６とを備えている。
【００２７】
ＣＰＵ３１は、売手端末１の動作を制御する。本発明に関連する売手端末１のＣＰＵ３１の機能は、先に説明したように、売却を希望する電気接続図のデータに、その電気接続図の諸元を表す諸元コードを付加して、複合データとして仲介サーバ４に送信することである。入力部は、データを入力し、売手端末１を操作するためのするキーボード２１−１とマウス２１−２（図２）等である。メモリ３３は、データを格納する主記憶装置として機能するランダムアクセスメモリ（ＲＡＭ）である。出力部３４は、ＣＰＵ３１の処理結果、仲介サーバ４から受信したデータを表示するディスプレイ２３（図２）等である。通信部３５は、ネットワーク３にデータを出力し、ネットワーク３からデータを受け取る周知の通信機能を有する。例えば、ネットワーク３がインターネットの場合には、インターネットプロトコルに基づく通信を行う。
【００２８】
ＨＤＤ３６は、大容量のデータを記憶できる２次記憶装置である。ＨＤＤ３６は、予め仲介サーバ４から受信していた諸元コード設定プログラム３６−１と、売却の対象となる電気接続図データ３６−２と、諸元コード３６−３とを有する。なお、ＨＤＤ３６は、諸元コード３６−３を常に保持している必要はなく、ユーザが諸元コード３６−３を作成すると同時に後述の仲介サーバ４（図１）へ送信してもよい。諸元コード設定プログラム３６−１は、例えば、ウェブサイトを表示するのに利用される、ＨＴＭＬ言語のようなプログラミング言語で記述され、実行されると、諸元コードを設定するための選択肢を表示させる。電気接続図データ３６−２は、売買の主要な内容を構成する、電気接続図のイメージデータである。諸元コード３６−３は、売り手側のユーザが入力した諸元を表す記号（コード）である。なお、諸元コード３６−３は、売り手側のユーザが諸元コード３６−３を直接入力する場合には、特に設けなくともよい。
【００２９】
続いて、図４は、仲介サーバ４の構成を示すブロック図である。仲介サーバ４もまた、売手端末１（図３）と同様に、中央処理部（ＣＰＵ）４１と、入力部４２と、メモリ４３と、出力部４４と、通信部４５と、ハードディスクドライブ（ＨＤＤ）４６、４７とを備えている。なお、ＨＤＤ４６、４７は、説明の便宜上２つに分けているが、１つのハードディスクドライブとして設けられていてもよい。これらの基本的な機能は、図２を参照して説明した売手端末１の、中央処理部（ＣＰＵ）３１と、入力部３２と、メモリ３３と、出力部３４と、通信部３５と、ハードディスクドライブ（ＨＤＤ）３６（図３）と同じである。したがって、以下では、仲介サーバ４に特有の機能および動作についてのみ説明する。
【００３０】
ＣＰＵ４１の機能は、先に説明した（１）〜（６）を実現するための制御、演算を行う。すなわち、ＣＰＵ４１は、売手端末１（図３）から受信した、諸元コードが付加された電気接続図データ（複合データ）４６−１の諸元データを読み出し、諸元再生プログラム４７−２を実行して諸元を取得する。また、取引データ評価プログラム４７−３を実行してそのデータの評価を行い、電気接続図の価格を決定する。そして、ＣＰＵ４１は、複合データ４６−１に基づいて、秘密性の高い主要な個所をマスクした電気接続図のサンプルデータ４６−２を生成する。マスク処理は、周知の画像処理技術であり、例えば、電気接続図のイメージに不透明なマスク画像を重ね合わせ、重なった部分の下のイメージを非表示にする処理である。
【００３１】
このようにして生成した諸元、価格およびサンプルを出力部４４に出力する。なお仲介サーバ４は、通信部４５を介して売手端末１から複合データ４６−１を受信し、ＨＤＤ４６に格納している。サンプルデータ４６−２もまた、ＨＤＤ４６に格納されている。このため、ＨＤＤ４６はデータバンクとも称される。一方、諸元再生プログラム５７−２、および、取引データ評価プログラム４７−３は、予めＨＤＤ４７に格納されている。なおＨＤＤ４７は、売手端末１（図３）に送信すべき諸元コード設定プログラムも格納している。
【００３２】
通信部４５は、売手端末１および買手端末２の双方からのデータを受信する。ＨＤＤ４６は、売手端末１（図２）から受信した、複合データ、および、そのサンプルデータを格納する。
【００３３】
次に、図５は、買手端末２の構成を示すブロック図である。買手端末２もまた、売手端末１（図３）と同様に、中央処理部（ＣＰＵ）５１と、入力部５２と、メモリ５３と、出力部５４と、通信部５５と、ハードディスクドライブ（ＨＤＤ）５６とを備えている。これらの基本的な機能は、図２を参照して説明した売手端末１の、中央処理部（ＣＰＵ）３１と、入力部３２と、メモリ３３と、出力部３４と、通信部３５と、ハードディスクドライブ（ＨＤＤ）３６（図３）と同じである。したがって、以下では、買手端末２に特有の機能および動作についてのみ説明する。
【００３４】
買手端末２のＣＰＵ５１は、電気接続図の購入要求／非購入決定の送信、電気接続図のタイトル、諸元等の情報、さらに、電気接続図のサンプルデータの受信を行う。電気接続図を購入する際には、ＣＰＵ５１は、さらに、決済処理に必要なクレジットカード番号等の情報を送信し、電気接続図データを受信する。ＣＰＵ５１は、受信した電気接続図データをＨＤＤ５６に格納する。
【００３５】
次に、ネットワーク取引システム１０（図１）において、売手端末１（図１、３）、買手端末２（図１、５）および仲介サーバ４（図１、４）の各々が、互いにどのように要求およびデータの授受を行うかを、手順を追って説明する。
【００３６】
なお、実際の実施化形態により近いシステムを実現するためには、処理に先だって、売手端末１および買手端末２は、予め仲介サーバ４と取引できる状態になければならないとする。具体的には、売手端末１および買手端末２は、仲介サーバ４に会員登録を行っていなければならないとする。会員登録のための手続きは、仲介サーバ４のウェブサイトにアクセスして、例えば、「新規会員登録−法人」により、登録申請を行う。仲介サーバ４は、会員になるために必要な情報、例えば、企業の場合には、電気接続図の売買に会社を代表して責任を負う人の情報を要求する。そして、問題が内容であれば、会員登録を行い、売手端末１および買手端末２を特定する会員番号およびパスワードを発行する。会員登録を行うことにより、売手端末１は、仲介サーバ４のＨＤＤ４７に格納されている諸元コード設定プログラム４７−１のダウンロードを許可される。諸元コード設定プログラム４７−１をダウンロードすることにより、売却希望の電気接続図に付加すべき諸元データを作成できるようになる。
【００３７】
以上の処理がすでに済まされているとして、以下図６を参照して、ネットワーク取引システム１０の動作を説明する。図６は、ネットワーク取引システム１０の処理手順を示すフローチャートである。まず、売手端末１（図１）は、会員番号およびパスワードとともに、電気接続図の売却要求を、仲介サーバ４に送信する（ステップＳ６０）。ユーザは、諸元コード設定プログラム３６−１（図３）を実行して、売却対象の電気接続図データ３６−２（図３）の諸元を設定する。このプログラムは、諸元コードを設定するための選択肢（選択用のラジオボタン等）を表示して、ユーザが該当するボタンをクリックする等の簡単な操作により諸元コードが入力できるインターフェースを有する。諸元の設定が終了すると、売手端末１は、その内容を諸元コードとして電気接続図データに付加し、仲介サーバ４に送信する（ステップＳ６１）。
【００３８】
ここで、諸元の具体的な内容を説明する。図７は、諸元のうち、市場分野の分類を示す図である。ここでは、例としてＡ〜Ｅの具体的な区分（Ａ：防衛、Ｂ：宇宙・航空、Ｃ：民生・家電、Ｄ：産業、Ｅ：原子力）と、Ｆ〜Ｚのその他の区分とに分類されている。なお、ここに示す区分は例であり、これら以外にも適宜設定できるのは言うまでもない。
【００３９】
次に、図８は、諸元のうち、どの分野の回路接続図であるかの分類を示す図である。「分野」とは、電気システムにおいて接続される位置（区分）をいい、大きく６つの区分が示されている。図９は、図８に示す区分を具体例に説明する図である。すなわちこの例は、公害観測装置における外観イメージとそれぞれの当該接続図の位置付け、接続図区分を示す。公害観測装置そのものは公官庁か企業に施設される、全体構成は各筐体から構成され、筐体は各ユニットから構成され、ユニットは各サブユニットから構成され、サブユニットはＳＲＡＭカードとサブユニットに付随する部品から構成される。ＳＲＡＭカードは最少機能構成品となる。
【００４０】
電気接続図が、システムの構成要素間の接続を表す図の場合、より具体的には、送信機筐体と受信機筐体の接続等、筐体間およびシステム部位の接続９１を表す図の場合には、システム全系（図８の記号２）となる。電気接続図が、ユニット間および筐体部位の接続９２に該当する場合には、筐体接続図（図８の記号３）となる。電気接続図が、筐体内のユニットを構成するサブユニットの接続９３に該当する場合には、ユニット接続図（図８の記号４）となる。電気接続図が、最小構成部位とサブユニット部位の接続９４である場合には、サブユニット接続図（図８の記号５）となる。脱着可能なＳＲＡＭカードとして図示されるカード内部の、最小機能を維持するための接続の場合には、最小機能構成品接続図（図８の記号６）となる。図１０は、最小機能構成品接続図のより具体的な例を示す階層図である。図１０によれば、大区分の下に、ＩＣカード回路Ａ、発信回路Ｂ、中間周波増幅回路Ｃのように中区分と、さらに、その各々について、さらに具体的にメモリ容量およびカードの規格を特定できる小区分とが存在していることが理解される。
【００４１】
次に図１１は、諸元の具体的な内容と諸元コードとの第１の対応関係を示す図である。ここでの諸元コードは、複数の文字により分類されており、最初の数字によってアナログ技術かデジタル技術かを特定し、次の文字により、具体的な機能（称信号増幅、電力増幅、ストレージ等）を特定する。
【００４２】
図１２は、諸元の具体的な内容と諸元コードとの第２の対応関係を示す図である。ここでは、必要な項目に具体的な値を入力することにより、諸元が特定できる。例えば、項目３ａの「電源電圧」に「１．５Ｖ」等を設定し、または、列挙された範囲、値から選択する。この結果、所定の電源電圧の範囲や、周波数等の範囲に応じて、各項目に対して、１６進数による１〜Ｆまでの１５段階にレベル分け（ランク付け）が行われる。そして、諸元コードは、項目名とレベルをあわせて表現される。この例では、諸元コードは「３ａ３」などと表される。なお、複数のピン等が存在する場合には、各ピンについてその諸元を特定できる。ランク付けは、諸元の値を単に１５等分割するのではなく、あくまで付加価値を基準として行われる。例えば、５Ｖ，５Ｖ〜３．３Ｖ，３．３Ｖ〜１．８Ｖ，…のように不均等に区分できる。また、実用化の観点からは、各諸元に対し０１からＦＦ（１６進数）、すなわち、２５５程度のレベルに分けることが必要と考えられる。なお、この諸元は、後述する電気接続図を評価する際にも利用される。また、分類されたレベルは、一般に閲覧できないようにする。また、図７で説明した諸元コード　Ａ，Ｂ，Ｃ・・・・Ｆ、そして、後述の重み付け値も開示されない。
【００４３】
図１３は、諸元の具体的な内容と諸元コードとの第３の対応関係を示す図である。ここでは、当該電気接続図のみからでは把握できない付加価値を示す諸元を特定する。その諸元コードもまた、複数の文字により分類されている。特定の特性の有無に応じて、数字の項目コードにａまたはｂが付される。この諸元についても、電気接続図を評価する際に利用するため、各項目に対して、１０進数による１〜１０までの１０段階にレベル分けが行われる。このレベルは、諸元設定プログラムの処理手順に従って設定される。なお、売手端末１（図３）のユーザが、入力部３２を介して直接入力してもよい。
【００４４】
以上のように、図１４〜１８を参照して、設定される諸元コードを具体的に説明する。以下の例では、ある企業が、ＳＲＡＭカードを含む公害監視装置を開発・量産していたが、企業方針の変更により開発停止となり、そのＳＲＡＭカードの電気接続図を売却しようとする場合を想定する。すなわち、売手端末１（図１，３）のユーザとして、当該企業が、ＰＣＭＣＩＡ規格に準拠するＳＲＡＭカード（２Ｍバイト）の電気接続図を売却したいと仮定する。いうまでもなく、売却は部門責任者の承認を得た上で行われる。
【００４５】
図１４、１５、１６は、売却の対象となるＳＲＡＭカードの電気接続図の例を示す図である。これらの図は、便宜的に３つに分けているだけで、取引が個々に行われることに限定するものではないことに留意されたい。
【００４６】
売手端末１（図１，３）のユーザは、仲介サーバ４（図４）からダウンロードした諸元コード設定プログラムを実行し、その指示にしたがって、個々の諸元を入力する。すなわち、
【００４７】
１）図７に示す市場分野として、Ｄ（産業）を選択する。ＳＲＡＭカードは、公害監視装置の構成要素だからである。
【００４８】
２）図１０に示す接続区分として、大区分は６（最少機能構成品）、中区分は「ＩＣカード回路」、小区分は「２ＭバイトＳＲＡＭカード」を選択する。
【００４９】
３）図１１に示す諸元の特定（１）では、２ｂ（ストレージ（蓄積））を選択する。ＳＲＡＭカードは記憶装置だからである。
【００５０】
４）図１２に示す諸元の特定（２）では、以下、１０項目を選定するともに、各項目に対して１５ランクつけされた諸元の中から適合する項目をクリックして選択する。１０項目に満たない場合は、適合する項目のみをクリックする。この諸元の特定（２）では最大１０項目を選択する。
【００５１】
諸元コード
「電源電圧」：１．８Ｖにクリック・・・・・・・・・・・・・　３
「出力電流」：５０ｍＡにクリック・・・・・・・・・・・・・　３
「出力電力」：１００ｍＷ／ゲートにクリック・・・・・・・・　２
「周波数」：２０ＭＨｚにクリック・・・・・・・・・・・・・　３
「メモリ容量」：２Ｍ・・・・・・・・・・・・・・・・・・・　５
「ＬＳＩ数」：メモリ＝４、ＡＳＩＣ＝２にクリック・・・・・　３
「同上ゲート数」：ＡＳＩＣ＝２００ｋにクリック・・・・・・　３
「ＩＣ数」：３にクリック・・・・・・・・・・・・・・・・・　３
「同上ゲート数」：５ｋにクリック・・・・・・・・・・・・・　４
「その他電気部品数」：２６にクリック・・・・・・・・・・・　３
上記項目および諸元コードは説明を容易にするための例である。
【００５２】
５）図１３に示す諸元の特定（３）では、上述のように、特許の有無、ファームウエア有無、カスタムＬＳＩ有無等の、当該電気接続図のみからでは把握できない付加価値を示す諸元を特定する。図示した例ではいずれも無しとする。よって、図１３の諸元は、それぞれ５ａ、６ａ、７ａとなる。各付加価値諸元が有りの場合はその価値を１０段階にクラス分けした内容が記述される。
【００５３】
以上、諸元の選択、入力（クリック操作）が終了すると各諸元に割り付けたコードが自動的に内部生成される。図１８は、自動的に生成された諸元コードを示す例である。この例の２ＭバイトＳＲＡＭカードの場合には、諸元コードはＤ６ＡＡ２ｂ／４ａ３４ｂ３４ｃ２４ｄ３４ｆ５３ｋ３３ｌ３３ｍ３３ｎ４３ｏ３／５ａ６ａ７ａとなる。なお、５ａ、６ａ、７ａは無しの場合はコード０を割り付けてもよい。その場合には、そのコードは省略してもよい。
【００５４】
上述の説明のようにして設定された諸元コードは、諸元コード設定プログラムの処理にしたがって、一旦売手端末１（図３）のＨＤＤ３６に格納され、または、メモリ３３（図３）から、電気接続図データとともに、仲介サーバ４（図４）へ出力される。
【００５５】
再び図６を参照して、仲介サーバ４は、売手端末１から電気接続図データとその諸元コードとを受信すると、諸元コードが正しく付与されているか、誤記等がないかをチェックする。問題がなければ、仲介サーバ４は、受信した電気接続図データと諸元コードとを、ＨＤＤ４６（図４）に格納する（ステップＳ６２）。何らかの問題がある場合は、仲介サーバ４は売手端末１に通知して、再設定を促す。
【００５６】
電気接続図データと諸元コードとを、ＨＤＤ４６（図４）に格納すると、仲介サーバ４は、取引データ評価プログラム４７−３（図４）と、諸元再生プログラムを実行する。
【００５７】
まず、取引データ評価プログラムの実行について説明する。このプログラムの実行により、ＣＰＵ４１（図４）は、各諸元に対し、予め評価点が設定されている市場分野（図７）、接続区分（図１０）、および、諸元の特定（１）〜（３）（図１１〜１３）における各評価点の合計を計算する。計算結果は、電気接続図の総合評価点となる。総合評価点は、後述する電気接続図の価格計算の際に利用される。
【００５８】
予め設定された評価点の例を、図１９〜図２１に示す。図１９は、市場分野および接続図区分に関して定められた評価点の例を示す図である。図２０は、諸元の特定（１）および（２）に関して定められた評価点の例を示す図である。図２１は、諸元の特定（３）に関して定められた評価点の例を示す図である。いずれの図においても、諸元を定めた各項目について評価点が規定されていることが理解される。なお、各諸元の中で付加価値が高いと思われる項目には、「重み付け」として、評価点とは別の数値が設定されている。この重み付けが設定された項目の評価点は、既定の評価点に重み付け値を乗算して計算される。例えば、既定の評価点が６、重み付け値が２の場合、評価点は１２となる。重み付けを行う項目は、付加価値の高さ以外にも任意の基準を設けて設定できる。既定の評価点、諸元の項目は、市場動向等を考慮して、定期的に更新できる。
【００５９】
ＣＰＵ４１（図４）は、総合評価点を算出すると、その点数に応じて電気接続図の価格を決定する。価格は、総合評価点１点あたりの価格（単位価格）に、総合評価点を乗じた値として得られる。
【００６０】
図２２は、図１８に示す諸元コードを取得したＳＲＡＭカードの評価点数の計算結果を示す。市場分野、接続図の大・中・小区分、諸元（１）〜（３）の各分類について評価点が計算され、総合評価点（５４点）が得られている。参考までに、各分類の最高点数を最下欄に示す。いま、単位価格を１万円とすると、電気接続図の価格は５４万円と計算される。なお単位価格も、市場動向等を考慮して、定期的に更新できる。
【００６１】
次に、諸元再生プログラムを実行の実行について説明する。このプログラムの実行により、ＣＰＵ４１（図４）は、ＨＤＤ４６（図４）に格納された諸元コードを解析し、当該電気接続図の諸元を取得する。本明細書では、この動作を「再生」と呼ぶ。諸元コードの再生は、売手端末１（図３）における諸元コードの設定と逆の手順で実現できる。
【００６２】
取引データ評価プログラムおよび諸元再生プログラムを実行することにより、仲介サーバ４（図４）は、当該電気接続図の表題、その諸元一覧表、および、電気接続図の価格を取得する。よって、仲介サーバ４上で運営されているウェブサイトの取引表示欄を介して、買手端末２（図１）等が、諸元をキーとして検索し、その結果を表示できる。図２３は、図１４〜１７を参照して説明したＳＲＡＭの電気接続図に関する情報（主要諸元、付帯事項、価格等）の一覧表示例を示す。図１４〜１６は、電気回路の接続関係を示す図面、図１７は、当該電気回路を構成する部品のリストである。
【００６３】
再び図６を参照して、買手端末の動作から説明する。買手端末は、（１）のウェブサイトにアクセスし、所望の電気接続図があるか、電気接続図タイトルとその諸元一覧表および価格表を検索、閲覧できる。
【００６４】
以下、買手端末２のユーザが電気接続図の購入を希望する場合の手続きを説明する。買手端末２は、仲介サーバ４のウェブサイト等から、仲介サーバ４に電気接続図の購入要求を通知する（ステップＳ６３）。そして、希望する電気接続図に関する装置の諸元を送信する（ステップＳ６４）。
【００６５】
仲介サーバ４は、買手端末２から受信した諸元をキーとして、買手端末２の希望に合致する適切な電気接続図を検索する。適切な電気接続図を発見すると、仲介サーバ４は、図２３に示すような電気接続図の関連情報をウェブサイト上に表示する（ステップＳ６５）。
【００６６】
買手端末２のユーザは、仲介サーバ４に保持された電気接続図のタイトル、諸元等の情報を参照して、その電気接続図を購入するか否かを決定する。その決定は、再び仲介サーバ４のウェブサイト等から、仲介サーバ４に通知される。
【００６７】
買手端末２のユーザが、電気接続図のタイトル等の表示だけでは購入を決定できないと考えた場合には、サンプルデータの要求の指示を入力する。すると、買手端末２のＣＰＵ５１（図５）は、仲介サーバ４に、電気接続図のサンプルを要求する（ステップＳ６６）。仲介サーバ４は、指定された電気接続図のサンプルデータを、買手端末２に送信する。このサンプルデータは、仲介サーバ４のＨＤＤ４６（図４）に格納されたサンプルデータ４６−２（図４）である。
【００６８】
図２４は、回路図に関するサンプルデータの表示状態を示す図である。また、図２５は、部品表に関するサンプルデータの表示状態を示す図である。上述のように、電気接続図とは、回路を構成する部品表、および、その配線の接続関係等を記述した図面から構成されるので、回路図および部品表の各々についてサンプルデータが表示される。サンプルデータは、売買される電気接続図に対して、主要な個所が隠蔽され、そのままでは完全な電気接続図の復元は出来ない図のデータである。
【００６９】
サンプルの閲覧等により、買い手が、電気接続図の購入を決定した場合には、買手端末２のＣＰＵ５１（図５）は、仲介サーバ４に購入の決定を通知し、クレジットカード番号等の情報を送信して決済を行う（ステップＳ６８）。この結果、買手端末２のＣＰＵ５１（図５）は、仲介サーバ４から送信された電気接続図データを取得し、ＨＤＤ５６にそのデータを格納する。買手端末２が取得した電気接続図には、データ上から諸元コードは除去されていることに留意されたい。すなわち、買手端末２は、電気接続図のみを取得する。
【００７０】
なお、検索結果に基づいて購入要求を通知し、購入の対象となる電気接続図がすでに決定されている場合には、装置の諸元を送信する必要はない。この場合には、ステップＳ６４、Ｓ６５およびＳ６３の順で動作が行われる。
【００７１】
なお、本明細書では、諸元コードの設定を売手端末側で行うとして説明した。しかし、これは仲介サーバにおいて行ってもよい。
【００７２】
【発明の効果】
売手端末は、前記技術の内容を記述した諸元を表す諸元コードを、売却を希望する技術に関するデータとともに送信し、仲介端末は、買手端末からの要求に応じて、その諸元の内容を買手端末に送信する。これにより、販売前の情報の秘密が保たれるだけでなく、データ購入側は、諸元の内容を検討することにより、その情報の利用価値を判断する機会が得られる。生産委託専門企業にあっては、成長が期待できる技術に関するデータを手に入れることで、新規事業の拡大が図れる。またベンチャー企業ならびに企業内ベンチャーにとってはビジネスチャンスを促進できる。
【００７３】
技術に関するデータは、電気回路の配線の接続関係等を記述した図面と、当該電気回路を構成する部品のリストからなる電気接続図のデータである。よって、買手側は、電気接続図を購入することにより、開発費・投資額を削減できる。また売手側は、開発した電気接続図を用いて新たな収益が可能になる。具体的には、アナログ技術者の不足が深刻化し、かつ、ブロードバンド（高速、高周波、広帯域）化に対応する製品の一部に高周波技術を取り入れることが多くなってきている近年の情勢に鑑みれば、高周波回路等の電気接続図を買い取ることにより、大きな開発費の削減、工期の短縮が図れる。先進企業、先進ベンチャーにあっては不要となった電気接続図を売込めるので投資分の一部でも費用の回収ができる。
【００７４】
売手端末は、ネットワークを介して、諸元コードを設定する諸元コード設定プログラムを受信し、そのプログラムの処理手順に基づいて、前記諸元コードを入力し、設定できる。よって、画一的な諸元コードの設定ができる。
【００７５】
仲介サーバは、諸元コードから前記諸元を復元する諸元再生プログラムを用いて、売手端末から受信した前記諸元コードから各諸元の内容を復元し、その諸元の内容を買手端末に送信する。これにより、買手端末側でも、必要な電気接続図の諸元を得ることができ、買手端末側の購入処理を円滑化できる。
【００７６】
諸元の内容は、仲介サーバ上で運営されているウェブサイトのページで閲覧できる。すなわち、既存のワールドワイドウェブのシステムをそのまま利用できるので、このデータ売買システムを容易に採用できる。
【００７７】
仲介サーバは、各諸元に評価点を与え、前記電気接続図のデータの価値を評価する評価プログラムに基づいて、売手端末から受信した諸元コードについて、設定された各諸元に応じた評価点を算出する。これにより、諸元に応じて客観的な電気接続図の価値が判断できる。
【００７８】
評価プログラムは、少なくとも１つの諸元に重み付けパラメータを用い、各諸元に評価点を与えるので、諸元に応じて柔軟に評価点を与えることができる。よって、より客観的に電気接続図の価値が判断できる。
【００７９】
各諸元のみならず、各諸元に応じた評価点の合計点を用いて電気接続図を評価するので、全体的な評価ができる。
【００８０】
より詳しくは、仲介サーバは、評価点の合計点に応じて電気接続図の価格を決定するので、諸元から判断できる電気接続図の価値が、価格に反映される。
【００８１】
仲介サーバは、売手端末から受信した電気接続図に、主要な個所へのマスクを設定する。予めマスクを付した電気接続図のサンプルデータを作成しておくことで、希望があれば即座にそのサンプルデータを提供できる。
【００８２】
仲介サーバは、売手端末からのサンプルデータ要求の受信に応答して、サンプルデータを、買手端末に送信する。これにより、買手端末のユーザは、電気接続図の概要であるサンプルデータを閲覧することにより、購入に適した電気接続図か否かを前もって判断できる。
【図面の簡単な説明】
【図１】本発明のネットワーク取引システムを示す概略図である。
【図２】コンピュータの外観を示す図である。
【図３】売手端末の構成を示すブロック図である。
【図４】仲介サーバの構成を示すブロック図である。
【図５】買手端末の構成を示すブロック図である。
【図６】ネットワーク取引システムの処理手順を示すフローチャートである。
【図７】諸元のうち、市場分野の分類を示す図である。
【図８】諸元のうち、どの分野の回路接続図であるかの分類を示す図である。
【図９】図８に示す区分を具体例に説明する図である。
【図１０】最小機能構成品接続図のより具体的な例を示す階層図である。
【図１１】諸元の具体的な内容と諸元コードとの第１の対応関係を示す図である。
【図１２】諸元の具体的な内容と諸元コードとの第２の対応関係を示す図である。
【図１３】諸元の具体的な内容と諸元コードとの第３の対応関係を示す図である。
【図１４】売却の対象となるＳＲＡＭカードの電気接続図の例を示す図である。
【図１５】売却の対象となるＳＲＡＭカードの電気接続図の例を示す図である。
【図１６】売却の対象となるＳＲＡＭカードの電気接続図の例を示す図である。
【図１７】電気回路を構成する部品のリストである。
【図１８】自動的に生成された諸元コードを示す例である。
【図１９】市場分野および接続図区分に関して定められた評価点の例を示す図である。
【図２０】諸元の特定（１）および（２）に関して定められた評価点の例を示す図である。
【図２１】諸元の特定（３）に関して定められた評価点の例を示す図である。
【図２２】図１８に示す諸元コードを取得したＳＲＡＭカードの評価点数の計算結果を示す図である。
【図２３】図１４〜１７を参照して説明したＳＲＡＭの電気接続図に関する情報（主要諸元、付帯事項、価格等）の一覧表示例を示す図である。
【図２４】回路図に関するサンプルデータの表示状態を示す図である。
【図２５】部品表に関するサンプルデータの表示状態を示す図である。
【符号の説明】
１　売手端末、　２　買手端末、　３　ネットワーク、　４　仲介サーバ、　１０　ネットワーク取引システム、　４１　中央処理部、　４２　入力部、　４３　メモリ、　４４　出力部、　４５　通信部、　４６　ハードディスクドライブ、　４６−１　電気接続図データと諸元コードの複合データ、　４６−２　サンプルデータ、　４７−１　諸元コード設定プログラム、　４７−２　諸元再生プログラム、　４７−３　取引データ評価プログラム
【図１】
2004054422.tif 000003
【図２】
2004054422.tif 000004
【図３】
2004054422.tif 000005
【図４】
2004054422.tif 000006
【図５】
2004054422.tif 000007
【図６】
2004054422.tif 000008
【図７】
2004054422.tif 000009
【図８】
2004054422.tif 000010
【図９】
2004054422.tif 000011
【図１０】
2004054422.tif 000012
【図１１】
2004054422.tif 000013
【図１２】
2004054422.tif 000014
【図１３】
2004054422.tif 000015
【図１４】
2004054422.tif 000016
【図１５】
2004054422.tif 000017
【図１６】
2004054422.tif 000018
【図１７】
2004054422.tif 000019
【図１８】
2004054422.tif 000020
【図１９】
2004054422.tif 000021
【図２０】
2004054422.tif 000022
【図２１】
2004054422.tif 000023
【図２２】
2004054422.tif 000024
【図２３】
2004054422.tif 000025
【図２４】
2004054422.tif 000026
【図２５】
2004054422.tif 000027